(57)【要約】      （修正有）【課題】調整板の傾斜フランジに対する相対回転を円滑におこなえるようにしてブレード基板の回転駆動軸に対する取付傾斜角の変更を円滑にするコンクリート切断装置を提供する。【解決手段】ブレード基板の両側面に取り付けた円盤状の傾斜フランジ１０、１０の中央に設けた中心穴１５の内周面が球面状であり、この中心穴１５に外周面が球面状の球面リング１６が嵌め込んであり、傾斜フランジ１０の外側に設けた調整板１１、１１が中空連結軸１２によって連結固定される。また、この中空連結軸１２が球面リング１６の中心穴に挿通されており、調整板１１を傾斜フランジ１０に対して相対回転することにより、ブレード１に固定された傾斜フランジ１０の中心穴１５の球面が球面リング１６の外周面を滑ってブレードが円滑に傾斜する。【選択図】図２
0003176325.tif 000002
【実用新案登録請求の範囲】
【請求項１】
ブレード基板の両側面に一様に厚みが変化する傾斜フランジがその最大厚の部分が反対面の傾斜フランジの最小厚部となるように逆向きに設けてあり、傾斜フランジの中心部には内周面が球面状の取付穴が形成してあり、この取付穴には外周面が取付穴の球面と合致する球面である球面リングが挿入してあって傾斜フランジの中心穴内において全ての方向に傾斜可能としてあり、この傾斜フランジと同じ傾斜で一様に厚みが変化させてある調整板が傾斜フランジの斜面に接して両側に取り付けてあると共に先端が段差連結部である中空連結軸で一体に連結してあり、かつ、中空連結軸は、球面リングに対してフリーとなるように球面リングの穴に挿通してあり、傾斜フランジと調整板を相対的に回転させることによってブレード基板の回転駆動軸への取付傾斜角度を変更できるコンクリート切断装置。
【請求項２】
請求項１において、ブレード基板の厚さとチップの厚さがほぼ同一であるコンクリート切断装置。
【請求項３】
一様に厚みが変化する傾斜面を有し、中心部に内周面が球面状の取付穴が形成してある一組の傾斜フランジと、この取付穴に挿入される外周面が取付穴の球面に合致する球面である球面リングと、傾斜フランジと同じ傾斜面を有する一組の調整板とからなり、調整板には端部に段差連結部を有する中空の連結軸が設けてあり、この中空の連結軸は球面リングの穴に挿通されたときに球面リングに対してフリーであるコンクリート切断用ブレードの傾斜角変更用アタッチメント。
【考案の詳細な説明】
【技術分野】
【０００１】
本考案は、コンクリート、鉄筋コンクリート、アスファルト舗装等を切断したり、切削して目地の形成に使用するものであり、回転ブレードの駆動軸への取付角度を可変として切断溝の幅を変更可能とした切断装置に関する。
【背景技術】
【０００２】
従来、コンクリートや鉄筋コンクリートなどをブレードで切断したり、目地を形成する場合、切断溝幅を変更するにはブレードの刃の厚さを変えたり、複数のブレードを並列させていた。
また、ブレードの回転駆動軸への取付角度を可変とすることによって、１枚のブレードで切断溝の幅を変更することが特許文献１〜３に開示されている。
【先行技術文献】
【特許文献】
【０００３】
【特許文献１】米国特許第３１５９１９１号明細書
【特許文献２】米国特許第４０５５２０４号明細書
【特許文献３】実開昭５５−２１１４９号公報
【考案の概要】
【考案が解決しようとする課題】
【０００４】
ブレードの回転駆動軸への取付角度を可変とする機構は、図１の模式図に示すように、ブレード基板２の両面に平面形状が円形であり、その厚さが直径方向に一様に減少する傾斜面が形成してあり、最大厚と最小厚を結ぶ直径における断面が楔型である円盤型の傾斜フランジ１０がブレードの両面に最大厚の部分が反対面の最小厚となるよう逆向きに固定してある。
この傾斜フランジ１０と同じ傾斜面を有する円盤状の調整板１１が両側の傾斜フランジ１０に斜面同士で接している。調整板１１、１１は、ブレード基板２の取付穴２５に挿入可能な外径を有する中空の連結軸１２で同軸に一体に連結されており、左右の調整板１１、１１は同期して回転する。連結軸１２の中空部には切断機の回転駆動軸が挿入されてブレードが固定される。
図１（１）に示すように、調整板１１の最大厚の部分が傾斜フランジ１０の最小厚の位置となるように相対的に回転させると、ブレード基板２は、連結軸１２に対して直角となり、通常のブレードカッターとして使用できる。
【０００５】
図１（２）に示すように傾斜フランジ１０、１０に対して調整板１１、１１を相対的に１８０度回転させて逆向き状態とすると、傾斜フランジ１０と調整板１１の最大厚が一致し、図示のように連結軸１２が傾斜し、ブレード基板２は、連結軸１２、即ち切断機の回転駆動軸に対して傾斜して取り付けられた状態となる。
図１（１）の状態から図１（２）の状態に調整板１１を相対回転させた中間位置においては、ブレード基板２は、連結軸１２に対して直角の状態から、斜面の傾斜角（θ）の２倍の角度の間の任意の傾斜角でブレード基板２を固定することができる。
【０００６】
ブレード基板２の取付角度を変更するには、調整板１１を傾斜フランジ１０に対して相対回転させて連結軸１２を回転駆動軸に対して傾斜させるものであるが、傾斜フランジ１０と調整板１１の工作精度が高くないと相対回転が円滑におこなわれず、傾斜角の変更に手間取り、切断作業に時間を要していた。
また、ブレード基板２を寝かせた水平な状態では調整板１１を傾斜フランジ１０に対して相対回転させることは容易であるが、切断機の回転駆動軸にブレード基板２を取り付けてブレードが直立した状態では、ブレード基板２の重量が斜面に作用して抵抗となるので、調整板１１を円滑に回転させることができなかった。
そこで、本考案は、調整板の傾斜フランジに対する相対回転を円滑におこなえるようにしてブレード基板の回転駆動軸に対する取付傾斜角の変更を簡単におこなえるようにするものである。
【課題を解決するための手段】
【０００７】
ブレード基板の両側面に取り付けた円盤状の傾斜フランジの中央に設けた中心穴の内周面が球面状であり、その球面状の内周を有する穴内に外周面が球面状である球面リングを嵌め込むことによってブレード基板の取付角度の変更を円滑におこなえるようにした取付傾斜角可変切断装置である。
【０００８】
また、通常のブレードを回転駆動軸に傾斜させて取り付けることができるようにするためのブレードアタッチメントであって、直径方向に一様に厚みが変化する傾斜面を有する一組の傾斜フランジの中心部に駆動軸挿通穴が設けてあり、この挿通穴の内周面は球面状であり、この穴に挿入される外周面が球面状の球面リングと、傾斜フランジと同じ傾斜面の直径方向に厚みが一様に変化する一組の調整板とからなり、調整板の中心には中空の連結軸が設けてあり、連結軸の先端には他方の調整板の連結軸と連結するための連結部を有するものである。
【考案の効果】
【０００９】
傾斜フランジの中心穴の内周面が球面状であり、この中心穴に球面リングが挿入されており、球面リングは中心穴に対して全ての方向に傾斜可能であるので、調整板を傾斜フランジに対して相対回転させてブレード基板の回転駆動軸に対して傾斜させることを円滑におこなうことができるので、ブレード基板を回転駆動軸に取り付けた状態において、ブレード基板の取付角度の変更が容易である。
【図面の簡単な説明】
【００１０】
【図１】取付角度変更の概念図。
【図２】本考案の傾斜ブレードの断面図。
【図３】球面リングの拡大断面図。
【図４】傾斜取付用のアタッチメント分解説明図。
【考案を実施するための形態】
【００１１】
以下、添付の図面を参照して本考案を説明する。
図２（１）に示すように、ブレード１の円形基板２の中心部には取付穴２５が設けてあり、この取付穴２５に挿通される中空の連結軸１２にブレード１を回転駆動する切断機の回転駆動軸４が挿入されている。ブレード１は、基板２の両側に固定フランジ６が取り付けられ、ボルト６１で回転駆動軸４に固定されている。
【００１２】
ブレード１の基板２の両面には、円盤状で中心穴１５を有する傾斜フランジ１０、１０が固定されている。中心穴１５の内周面は球面の一部であり、この中心穴１５内に外周面が球面状の球面リング１６が挿入されている。球面リング１６は、図３に示すように傾斜フランジの１０の中心穴１５内において全ての方向に傾斜することが可能である。
傾斜フランジ１０は、平面形状が円形であり、その厚さが直径方向に一様に減少する傾斜面を有し、最大厚と最小厚を結ぶ直線における断面形状が楔型である。
図２（１）に示すように、この傾斜フランジ１０、１０がブレード１の両面に最大厚の部分に反対面の最小厚の部分が位置するよう逆向きに取り付けてある。
【００１３】
この傾斜フランジ１０と同じ傾斜面を有する円盤状の調整板１１が両側の傾斜フランジ１０、１０に斜面同士で接して相対的に回転するようにしてあり、調整板１１、１１は中空の連結軸１２で一体に連結されており、両側の調整板１１、１１は同期して傾斜フランジ１０に対して相対回転する。図２（２）の状態は、傾斜フランジ１０の最大厚部に調整板１１の最小厚部を位置させたものである。
中空軸１２は、球面リング１６の穴内に挿通されており、調整板１１の回転に対してフリーである。なお、球面リング１６が中空軸１２と一緒に回転するようにしてもよい。
【００１４】
傾斜フランジ１０、１０の斜面側の中心部には、取付穴２５と同心の環状の凹部１３が形成してある。この環状凹部１３の底面は傾斜フランジ１０の平坦面とほぼ平行にしてあり、凹部１３の深さは傾斜フランジ１０の厚さが大きい部分ほど深く形成してある。
【００１５】
一方、調整板１１には、この凹部１３に嵌合する環状突起１４が形成してあり、この環状突起１４の表面は、調整板１１の平坦面と平行にしてある。
【００１６】
調整板１１の環状突起１４が、傾斜フランジ１０の凹部１３に嵌合しており、調整板１１を傾斜フランジ１０に対して相対的に回転させる場合のガイドとなることができる。
【００１７】
図２（２）に示す状態は、調整板１１を図２（１）の状態に固定し、ブレード１の基板２を相対的に１８０度回転させた状態であり、基板２が回転駆動軸４に対して傾斜した状態を示すものである。基板２を調整板１１に対して相対的に回転させると、基板２に固定してある傾斜フランジ１０も回転して調整板１１、１１の対向する傾斜面で画定される空間内を回転しながらブレード１の取付角度は徐々に傾斜していく。傾斜フランジ１０の中心穴１５の外周面は球面であり、この穴内には球面リング１６が挿入してあるため、周方向への回転が円滑であると共に、ブレードの基板１の傾斜方向にも球面であるため抵抗なく傾斜フランジ１０が相対回転でき、図２（２）の状態となるので簡単に調整することができる。
【００１８】
図４に示すものは、通常のブレードを可変傾斜ブレードとして使用できるようにするアタッチメントであり、取り付け前とブレード基板に取り付けた状態を示すものである。
【００１９】
傾斜フランジ１０、１０と調整板１１、１１、及び球面リング１６とからなるものである。傾斜フランジ１０の中心には中心穴１５が設けてあり、この穴１５の周面は球面状であり、この穴内には球面リング１６が挿入され、図３に示したように、球面リング１６は穴１５の全ての方向に対して傾斜することが可能である。
傾斜フランジ１０は、通常のブレードの基板２に取付固定できるように、固定ネジ用の穴２２が２箇所設けてあり、ブレードの基板２の対応する位置にもこの固定ネジを通す穴２３が設けてある。これらの穴２２、２３に固定ネジを通して傾斜フランジ１０、１０のブレードの基板２との接触面側に設けた雌ネジにねじ込んで傾斜フランジ１０を基板２に固定してある。
【００２０】
調整板１１の連結軸１２は、ブレード基板を傾斜ブレードに転用可能にするものであり、調整板１１をブレード１の基板２に着脱することができるように、左右の調整板１１の連結軸１２を分離させてある。調整板１１の連結軸１２の端部の一定長の下半分が切り欠いてあり、他方の調整板１１の連結軸の端部は上半分が切欠いてあって段差連結部１２ａとなっている。ブレード基板２の両側から調整板１１、１１を差込み、段差連結部によって左右の調整板１１、１１を連結して一体化するものであり、特別の工具を必要とせずに通常のブレードを傾斜切断用に変更することができる。
【００２１】
本考案の切断装置は、コンクリートや鉄筋コンクリートを切断するものであるのでブレード基板の周縁には一定間隔でダイヤモンドチップ（砥粒層）が設けてある。
従来、回転ブレードは切断面に垂直に接触し、ブレードの回転によってコンクリートを切断するものである。ブレード基板の厚さは最大でも２．８ｍｍを超えるものではなく、比較的薄い鋼板であるので回転によってブレード基板が変形し、チップの軌跡が左右にぶれるので、切断が進行して切断溝が深くなるにつれてブレード基板の側面が溝壁に接触して抵抗となり、ブレード基板がぶれるたびに抵抗を生じてブレードの回転の障害となるため、チップの幅をブレード基板の厚さよりも大きくしてブレード基板が切断溝の壁に衝突しないようにしていた。
【００２２】
また、切断の進行に伴いチップの側面が溝壁にあたって磨耗し、チップの角が丸く磨耗してくるため、切断性能が低下してきていた。しかしながら、ブレード基板を回転駆動軸に対して傾斜取り付けした切断機では、ブレード基板が左右に振れながら切断し、ブレード基板の厚さよりも幅広の溝が形成されると共にチップの上面のみが切断対象に接触するのでブレード基板の側面が溝壁に衝突することがなく、チップの磨耗が上面から平行に進行するので理想的であり、チップをブレード基板の厚さよりも幅広にする必要はなく、チップ幅をブレード基板の厚さをほぼ同一としても問題がない。
【００２３】
また、本考案に置いては、ブレード基板を回転駆動軸に傾斜させて取り付けてあるので、切断の際にブレード基板には切断面への押圧力と回転力によりねじれの力が作用するので、通常のブレード基板より厚さを大きくすることが好ましく、５．０ｍｍ程度するのが好ましい。
この厚さによってブレード基板は押圧力と回転力による捩れに対しても抵抗でき、円滑にブレード幅よりも大きな幅の溝を容易に切断することができる。
【符号の説明】
【００２４】
１    ブレード
１０  傾斜フランジ
１１  調整板
１２  連結軸
１３  環状凹部
１４  環状突起
１５  中心穴
１６  球面リング
１７  球面状内周面
２    基板
２５  取付穴
３    切断刃（砥粒層）
４    回転駆動軸
６    固定フランジ
６１  固定ボルト
【図１】
0003176325.tif 000003
【図２】
0003176325.tif 000004
【図３】
0003176325.tif 000005
【図４】
0003176325.tif 000006